(57)【特許請求の範囲】
【請求項１】
一端側に吐水具、他端側に接続具を有し、流し台や洗面台等の設置面に穿設された挿通孔に挿通されると共に前記接続具を介して水栓本体に接続されたホース、を挿通案内するガイド部と、前記設置面の裏側に設置された部材に固定される固定部とを備えたホースガイドであって、前記ガイド部と前記固定部とが別体に形成されると共に相互に組付可能に設けられ、前記ガイド部が前記挿通孔に挿通可能な大きさに設けられたことを特徴とするホースガイド。
【請求項２】
前記ガイド部が、前記固定部に対して傾動可能に設けられたことを特徴とする請求項１に記載のホースガイド。
【発明の詳細な説明】
【０００１】
【発明の属する技術分野】
本各発明は、一端側に吐水具、他端側に接続具を有し、流し台や洗面台等の設置面に穿設された挿通孔に挿通されると共に前記接続具を介して水栓本体に接続されたホース、を挿通案内するガイド部と、前記設置面の裏側に設置された部材に固定される固定部とを備えたホースガイドに関する。
【０００２】
【従来の技術】
従来、シャワーヘッドなどの吐水具をホースと共に引き出し自在に支持する給水栓が知られている。このような給水栓では、流し台や洗面台等の設置面の上側に吐水具の支持具が設置され、一方、設置面の下側には吐水具を引き出し可能にするために長めに設けられたホースがＵ字状に撓まされた状態で収容されている。以下、これを本発明の実施の形態についての図１を参照して説明する。
【０００３】
設置面１上に設置された給水栓３の水栓本体４には、支持具５が突設されており、この支持具５には、吐水具の一例であるシャワーヘッド６がホース９と共に引き出し自在に支持されている。また、水栓本体４の上部にはシャワーヘッド６からの湯水の吐止水及び流量・温度調節を行うための操作レバー７が取り付けられている。また、水栓本体４下部には、水栓本体４にて混合された湯水をシャワーヘッド６へ供給するための接続管８と、設置面１下の給水源・給湯源（図示省略）に接続されて水栓本体４に湯水を供給する給水管・給湯管（図示省略）が延設されている。そして、接続管８の先端には、ジョイント１１が取り付けられている。一方、ホース９には、上記ジョイント１１に押し込みによりワンタッチにて接続される接続具１０が取り付けられており、この接続具１０を介して、ホース９が接続管８に接続されている。そして、ホース９は、接続管８から下方にＵ字状に撓まされて水栓本体４に引き込まれ、支持具５内を経てシャワーヘッド６に接続されている。ここで、ホース９及びジョイント１１には、シャワーヘッド６を支持具５から出し入れする際にホース９を案内する従来のホースガイド１２が取り付けられている。このホースガイド１２は、ホース９の外径より僅かに大きな内径に形成されてホース９を挿通案内するガイド部２２と、接続管８に取り付け固定されてガイド部２２を支持する固定部２４とを備えており、両者は一体に形成されている。
【０００４】
従来、このようなホースガイド１２を用いて、シャワーヘッド６を支持具５から出し入れする際に設置面１下でのホース９の動きを規制して適切に案内することにより、ホース９が不用意に遊動して設置面１下の種々の部材に引っかかることを防止したり、設置面１下に配設され、シャワーヘッド６側からホース９に伝わって設置面１下に滴る湯水を受ける水受けタンク（図示省略）からホース９が飛び出すことを防止するなどの措置を講じていた。
【０００５】
【発明が解決しようとする課題】
従来のホースガイド１２は、設置面１に設けられた挿通孔２には挿通不能な大きさに形成されていた。また、ホース９に取り付けられた接続具１０は、ガイド部２２の内径よりも大きなものであり、ホース９に接続具１０を取り付けた状態では、ホース９にホースガイド１２を自由に着脱することができなかった。このため、挿通孔２にホース９を挿通させる際には、ホース９からホースガイド１２及び接続具１０を取り外しておかなければならず、給水栓３の施工時において挿通孔２にホース９を挿通させた後に、ホース９に接続具１０を取り付ける必要があり、施工時の作業が煩雑であった。また、施工時に、ホースガイドにホースを挿通させてホースに接続具を取り付けるため、接続具の取り付けが不十分で、これにより水漏れを生じる虞もあった。
【０００６】
本各発明は上記した従来の問題点を解消するものであり、施工時の作業を簡略化すると共に、接続具の取り付けの不充分さに起因する水漏れを防止することを目的とする。また、請求項２に記載の発明では、ホースを円滑に挿通案内させることも目的とする。
【０００７】
【課題を解決するための手段】
以上の課題を解決するために、本各発明の採った手段を以下に説明する。本発明の請求項１に記載のホースガイドは、「一端側に吐水具、他端側に接続具を有し、流し台や洗面台等の設置面に穿設された挿通孔に挿通されると共に前記接続具を介して水栓本体に接続されたホース、を挿通案内するガイド部と、前記設置面の裏側に設置された部材に固定される固定部とを備えたホースガイドであって、前記ガイド部と前記固定部とが別体に形成されると共に相互に組付可能に設けられ、前記ガイド部が前記挿通孔に挿通可能な大きさに設けられたことを特徴とするホースガイド」である。
【０００８】
ここで、本発明に言う「吐水具」はシャワーヘッドや吐水口などの湯や水を吐出させる総ての水栓部品を言う。また、ホースが挿通される挿通孔は、水栓本体を取り付けるための挿通孔に限らず、水栓本体とは個別に設けられ、吐水具をホースと共に引き出し自在に支持する支持具を取り付けるための挿通孔や、ホースを単に挿通するだけの挿通孔等を指すものである。
【０００９】
上記のように、ホースを挿通案内するガイド部を固定部とは別体に設け、ガイド部を挿通孔に挿通可能な大きさに設けることにより、ガイド部を取り付けたままの状態でホースを設置面の挿通孔に挿通できる。よって、ホースにガイド部及び接続具を取り付けた状態で施工することができ、例えば、出荷時にホースガイド及び接続具をホースに取り付けておけば、施工時にこれらの取り付け作業は不要となり、施工時の作業を簡略化することができる。また、出荷時に接続具をホースに取り付けておけば、接続具の不十分な取り付けが原因で生じる水漏れを防止することができる。なお、同様に、ホースガイドの固定部も挿通孔に挿通可能な大きさに設けることにより、例えば、固定部を接続管に固定する態様においては、水栓の出荷時に予め固定部を接続管に固定しておいても、挿通孔に接続管と共に固定部を挿通できるので、設置面裏側で接続管に固定部を取り付ける作業も省略することができ、好適である。
【００１２】
本発明の請求項２に記載のホースガイドは、「前記ガイド部が、前記固定部に対して傾動可能に設けられたことを特徴とする請求項１に記載のホースガイド」である。
【００１３】
例えば、吐水具を支持具に支持した状態では、水栓本体から垂れ下げられて接続管に接続されたホースは、設置面下に大部分が収納されて長く垂れ下げられるので、設置面近傍においてはほぼ真っ直ぐ下に垂れ下がった状態となる。一方、吐水具を支持具から引き出した状態ではホースも設置面上に引き出されるため、設置面下に位置されるホースの長さは短くなり、このため設置面近傍においてホースは大きく湾曲した状態となる。このように、吐水具の引き出しによって、ホースの傾きや湾曲が変化する。ここで、本発明のようにガイド部を固定部に対して傾動可能に設けることにより、ホースが真っ直ぐ下に垂れ下がった状態であってもホースが大きく湾曲した状態であっても、ホースの向きに対応してホースを挿通案内することができる。したがって、ホースの引き出し・収納を円滑に行うことができる。
【００１４】
尚、本発明における「傾動可能」とは、何れかの方向に角度を変え得ることをいう。例えば、支持具が水栓本体に対して水平方向に回動自在に設けられた態様や、ホースが斜めに支持具へと引き込まれている態様では、ホースが必ずしも真下に向かって垂れ下げられるとは限らず、いくぶん傾いて垂れ下げられることもある。このような態様においては、ガイド部を横方向に傾動させることでホースを円滑に案内させることができる場合がある。よって、このような態様も含め、本発明においては、上下方向に傾動可能とするばかりでなく、左右方向に傾動可能としてもよい。特に、上下方向及び左右方向に傾動可能とするのが好適である。
【００１５】
また、固定部に対してガイド部を傾動可能に設ける具体的手段としては、例えば、弾性部材を用いて固定部にガイド部を支持する態様、固定部に傾動可能にガイド部を軸支する態様、可撓性のある部材により固定部とガイド部とを一体的に形成する態様などを例示できる。
【００１６】
【発明の実施の形態】
次に、本各発明のうち請求項１及び請求項２に記載の発明を適用したホースガイドの実施形態を、図面を参考にして詳細に説明する。なお、以下、上述の従来技術と共通する構成については、従来技術と同一の符号を付して説明を省略する。
【００１７】
図１及び図２に、ホースガイド２０の一例を示す。このホースガイド２０には、一端が吐水具の一例であるシャワーヘッド６に接続されたホース９を挿通するガイド部２２と、ホースガイド２０を設置面１下側の部材に固定する固定部２４とが備えられている。図２に示すように、ガイド部２２と固定部２４とは別体に形成されており、相互に組付可能に設けられている。そして、ガイド部２２及び固定部２４は共に設置面１の挿通孔２に挿通可能な大きさに設けられている。具体的には、ガイド部２２の平面視（図２の上方から見た場合）外接円の直径は約３２ｍｍ、固定部２４の平面視（図２の上方から見た場合）外接円の直径は約３５ｍｍ、挿通孔２の内径は約３６ｍｍである。
【００１８】
固定部２４には、接続管８先端に取りつけられたジョイント１１等の配管に嵌着固定するための第一固定部２５と、壁面など平面状の部材に固定するための第二固定部２６とが備えられている。第一固定部２５は軸方向に沿って切り欠きを備え横断面Ｃ字状に形成された略円筒形状に設けられており、その内部に配管などを挿通固定可能に構成されている。そして、この第一固定部２５の切り欠き端部から第二固定部２６がそれぞれ連設されている。第二固定部２６は、略平板形状に設けられて壁面などの平面状の部材に当接容易に形成されており、それぞれに二つのネジ用孔２７が穿設されて、このネジ用孔２７を利用して他の部材にネジ止め固定可能に設けられている。また、第一固定部２５の側面には、ホース９の挿通方向に対して直交方向に形成された係合部２９を備えたＴ字状の係合アーム２８が設けられている。そして本例では、図１に示すように、固定部２４はその第一固定部２５がジョイント１１に嵌着固定されている。
【００１９】
ガイド部２２は、ホース９を挿通案内する挿通部３０と、固定部２４の係合アーム２８に対してガイド部２２を傾動可能に係合する被係合部３２とを備えている。挿通部３０の内径は挿通されるホース９の外径よりも僅かに大きく設けられており、ホース９を円滑に挿通案内させることができる一方で、ホース９が挿通部３０内で大きく遊動しないように構成されている。
【００２０】
挿通部３０と反対側の被係合部３２の壁部３３には、係合アーム２８の係合部２９が挿通可能な挿通孔３４が開口されている。また、壁部３３の裏側には、挿通孔３４と直交する方向に、係合部２９が係合する係合溝３６が形成されている。係合部２９をこの係合溝３６に係合させるには、まず係合部２９を挿通孔３４に挿通させ、次いでガイド部２２全体を９０度回転させて係合溝３６内へ係合部２９を装着する。
【００２１】
係合溝３６は、係合部２９の横断面形状の一部と対応する形状に形成されており、また壁部３３の裏側の内壁面にはこの係合溝３６と対向するように係合部２９の横断面形状の一部と対応する溝状の抑え部３７が設けられている。抑え部３７と係合溝３６の頂部との距離は、係合部２９の外径よりも僅かに小さく形成されており、係合部２９を係合溝３６に装着する際には、係合溝３６と抑え部３７を弾性拡開させるようにして、係合部２９を係合溝３６と抑え部３７との間に押し込む。そして、抑え部３７により係合部２９が容易には脱落しないように設けられている。一方、係合溝３６と抑え部３７の底部との距離は、係合部２９の外径よりも僅かに大きく形成されており、係合溝３６に係合された係合部２９が遊嵌状態で係合されるように設けられている。これにより、ガイド部２２は、係合部２９の軸心回りすなわち固定部２４に対して上下方向に傾動可能に設けられると共に、係合部２９の軸心方向すなわち固定部２４に対して左右方向にガタツキ易くなり、固定部２４に対して左右方向においても僅かに傾動可能となる。このようにして、ガイド部２２がその挿通部３０内を案内挿通されるホース９の動きに応じて傾動することにより、ホース９の引き出し・収納を円滑に行うことができる。なお、上記ホースガイド２０では、固定部２４がジョイント１１に固定されるているが、第二固定部２６を用いて設置面１下の壁面等の部材に固定することもできる。
【００２２】
上記したホースガイド２０では、ガイド部２２を挿通孔２に挿通可能な大きさに設けたので、ホース９にガイド部２２を取り付けたままの状態で、設置面１上方からガイド部２２ごとホース９を挿通孔２に挿通することができる。よって、ホース９を挿通孔２に挿通後に、ホース９に接続具１０を取り付ける必要がない。これを図１を参照して詳しく説明する。まず、給水栓３の施工に先駆けて、支持具５及び水栓本体４にホース９を挿通させて、このホース９にガイド部２２及び接続具１０を取り付けておく。そして、施工時には、支持具５にシャワーヘッド６を支持した状態で、接続具１０を先端に取りつけたホース９を、ガイド部２２と共に挿通孔２に挿通する。ガイド部２２は、固定部２４とは別体に形成されるととともに挿通孔２に挿通可能な大きさに設けられているので、ホース９に取り付けたまま挿通孔２から設置面１下に挿通させることができる。次いで、水栓本体４の下面に延設された接続管８及び給水管・給湯管（図示省略）を挿通孔２に挿通し、設置面１に水栓本体４を固定する。接続管８のジョイント１１には、予め固定部２４が取り付けられているが、この固定部２４も挿通孔２に挿通可能な大きさに設けられているので、接続管８に取り付けたままの状態で挿通孔２から設置面１下に挿通させることができる。次いで、設置面１下で、給水管・給湯管を給水源・給湯源（図示省略）に接続すると共に、ホース９の接続具１０を接続管８のジョイント１１に接続する。そして、上記したように係合部２９を介してガイド部２２を固定部２４に傾動自在に係合させてガイド部２２と固定部２４とを組み付ける。
【００２３】
上記のように、固定部２４を、挿通孔２に挿通可能な大きさに設け、接続管８に取り付けたままの状態で設置面１下に挿通させる態様では、予め接続管８にジョイント１１とともに固定部２４を取り付けておいても、給水栓３の設置時に固定部２４を接続管８から取り外す必要がなく、固定部２４の接続管８への取付作業を省略することができる。
【００２４】
なお、固定部２４を接続管８から取り外しておき、ホース９及び接続管８を挿通孔２に挿通後、設置面１下にて、ガイド部２２に固定部２４を組み付けて、固定部２４を接続管８のジョイント１１に固定することとしてもよい。このようにすると、固定部２４を自由に取り扱うことができるため、設置面１下での狭い空間においても、ガイド部２２と固定部２４とを組み付け易くすることができる。
【００２５】
次いで、別のホースガイドの実施形態を、図面を参考にして詳細に説明する。なお、第一の実施の形態と同様に、上述の従来技術と共通する構成については、従来技術と同一の符号を付して説明を省略する。また、上記した第一の実施の形態と共通する構成についても、第一の実施の形態と同一の符号を付して説明を省略する。図３に示すように、本実施の形態のホースガイド４０は、ガイド部４２と固定部４４とが一体的に設けられたものであり、後述するように、その全体が挿通孔２に挿通可能な大きさに設けられたものである。具体的には、ホースガイド４０の平面視（図３の上方から見た場合）外接円の直径は約３２ｍｍである。
【００２６】
ホースガイド４０は平面視略半円形状に形成されており、その円弧部分にガイド部４２が設けられている。そしてこのガイド部４２にはホース９を挿通案内する挿通部４６が備えられている。上記第一の実施の形態と同様に、挿通部４６の内径は挿通されるホース９の外径よりも僅かに大きく設けられており、ホース９を円滑に挿通案内させることができるとともに、ホース９が挿通部４６内で大きく遊動しないように構成されている。
【００２７】
そして、このガイド部４２と一体的に固定部４４が設けられている。固定部４４は、平面状の当接部４５を備えており、図４に示すようにこの当接部４５を水受けタンク５０に当接させて固定されている。当接部４５には、ねじ孔４８が設けられており、水受けタンク５０の内壁面にこの当接部４５を当接させ、水受けタンク５０に穿設された孔（図示省略）に外側からねじを挿通してねじ孔４８に螺入し、ホースガイド４０を水受けタンク５０に固定することとしている。このようにホースガイド４０を水受けタンク５０内に固定することにより、シャワーヘッド６側からホース９を伝って設置面１下側に浸入する湯水を水受けタンク５０内に導くことができ、設置面１下の床面などが水浸しとならないようにすることができる。
【００２８】
なお、本例のようにねじによって固定部４４を固定するだけでなく、例えば当接部４５に両面テープを貼り付けて水受けタンク５０に固定することとしても良い。また、ホースガイド４０は、水受けタンク５０に限らず設置面１下の壁面等に固定することとしても良い。
【００２９】
【発明の効果】
本各発明のホースガイドは上記のように構成されているので、施工時の作業を簡略化すると共に、接続具の取り付けの不充分さに起因する水漏れを防止することができる。また、特に請求項２に記載のホースガイドでは、上記した効果に加えて、ホースを円滑に挿通案内させることもできる。
【図面の簡単な説明】
【図１】第一の実施の形態に係るホースガイドを取り付けた給水栓の側面図である。
【図２】図１に示すホースガイドの分解斜視図である。
【図３】第二の実施の形態に係るホースガイドの斜視図である。
【図４】図３のホースガイドを取り付けた給水栓の側面図である。
【符号の説明】
１；設置面、２；挿通孔、３；給水栓、４；水栓本体、５；支持具、６；シャワーヘッド、７；操作レバー、８；接続管、９；ホース、１０；接続具、１１；ジョイント、２０；ホースガイド、２２；ガイド部、２４；固定部、２５；第一固定部、２６；第二固定部、２７；ネジ用孔、２８；係合アーム、２９；係合部、３０；挿通部、３２；被係合部、３３；壁部、３４；挿通孔、３６；係合溝、３７；抑え部、４０；ホースガイド、４２；ガイド部、４４；固定部、４５；当接部、４６；挿通部、４８；ねじ孔、５０；水受けタンク。
【図１】
0004675499.tif 000002
【図２】
0004675499.tif 000003
【図３】
0004675499.tif 000004
【図４】
0004675499.tif 000005